(57)【要約】【課題】連続洗濯機における消毒技術を改良して、病院寝具のように老廃物で汚損した洗濯物であっても完全に消毒できるようにする。【解決手段】洗濯物は予洗槽１で予洗され、洗濯槽２，３，４，５で順次に洗濯され、すすぎ槽６，７ですすがれ、仕上槽８で仕上げ処理されて脱水機９へ送り込まれる。上記すすぎ槽７と仕上槽８との間に消毒槽１３を設け、洗濯物はこの消毒槽を通過する。この消毒槽１３には新水が注入（矢印ｃ）されるとともに、次亜塩素酸が注入（矢印Ｄ）され、濃度２０〜５０ｐｐｍに調製される。すすぎ終わった洗濯物は消毒槽１３を通過する間に次亜塩素酸で消毒処理される。【選択図】図１
2009119089.tif 000002
【特許請求の範囲】
【請求項１】
複数個の洗濯槽と、すすぎ槽と、仕上槽とを列設して成り、洗濯槽に投入された洗濯物を洗濯し、次いですすぎ槽ですすぎ、更に仕上槽で仕上げ処理して脱水機へ送り出す連続洗濯機において、
すすぎ槽と仕上槽との間に消毒槽を設けるとともに、該消毒槽の中へ次亜塩素酸を注加する手段を設けたことを特徴とする、病院寝具消毒装置。
【請求項２】
複数個の洗濯槽と、すすぎ槽と、仕上槽とを列設して成り、洗濯槽に投入された洗濯物を洗濯し、次いですすぎ槽ですすぎ、更に仕上槽で仕上げ処理して脱水機へ送り出す連続洗濯機において、
仕上槽と脱水機との間に消毒槽を設けるとともに、該消毒槽の中へ次亜塩素酸を注加する手段を設けたことを特徴とする、病院寝具消毒装置。
【請求項３】
複数個の洗濯槽と、すすぎ槽と、仕上槽とを列設して成り、洗濯槽に投入された洗濯物を洗濯し、次いですすぎ槽ですすぎ、更に仕上槽で仕上げ処理して脱水機へ送り出す連続洗濯機において、
前記すすぎ槽または仕上槽の少なくとも何れか片方に、次亜塩素酸を注加する手段を設けたことを特徴とする、病院寝具消毒装置。
【請求項４】
複数個の洗濯槽と、すすぎ槽と、仕上槽とを列設して成る連続洗濯機を用い、
洗濯槽に投入された洗濯物を洗濯し、次いですすぎ槽ですすぎ、更に仕上槽で仕上げ処理して脱水機へ送り出す場合、
前記すすぎ槽もしくは仕上槽の中へ次亜塩素酸を注加し、
又は、すすぎ槽もしくは仕上槽に隣接せしめて設けた消毒槽の中へ次亜塩素酸を注加することを特徴とする、病院寝具消毒方法。
【発明の詳細な説明】
【技術分野】
【０００１】
本発明は、カウンターフロー型の連続式洗濯を適用の対象とし、例えば病院寝具などのごとく人体由来の老廃物が付着している布類を消毒するに好適なように改良した洗濯物の消毒装置および消毒方法に関するものである。ただし、病院寝具以外の洗濯物を消毒することもできる。
【背景技術】
【０００２】
カウンターフロー型の連続式洗濯機に関しては、特開２００１−１３７５９０号公報に記載された技術が公知である。
図４は従来例のカウンターフロー型連続式洗濯機を示し、水の流動方向を表す矢印を付記した系統図である。
この例の連続式洗濯機は、１個の予洗槽１と、４個の洗濯槽２〜５と、２個のすすぎ槽６，７とを備えている。符号８を付して示した仕上槽は、のりづけ等の仕上げ操作を行なう槽である。
【０００３】
連続式洗濯機で一連の処理を終えた洗濯物は脱水機９に送り出され、脱水処理された後、図外の乾燥・プレス工程に送られる。
新水は、手動弁および自動弁を介してすすぎ槽７に給水される（矢印ａ）。
仕上槽８で使い終わった水は排水（矢印ｄ）されるが、すすぎ槽７で使い終わった水はカウンターフローパイプを経てすすぎ槽６に送給され、すすぎ槽６で使い終わった水はすすぎ水回収タンク１１に溜められる（矢印ｂ）。
前記脱水機９の排水は脱水回収タンク１０に溜められる（矢印ｅ）。 
洗濯物は予洗槽１に投入された後、洗濯槽２に送られ、洗濯槽３→洗濯槽４→洗濯槽５というように順次に図の右方へ送られて行く。
一方、洗濯用の水は図の右方から左方へ向かって流動する。すなわち、前記すすぎ水回収タンク１１内の水がポンプに吸入・吐出され、手動弁を経て最終段の洗濯槽５に供給される（矢印ｆ）。
【０００４】
洗濯槽５で使われた水は、カウンターフローパイプを介して洗濯槽４へ、さらに洗濯槽３→洗濯槽２へと送られた後に排水（矢印ｊ）される。
予洗槽１で使われた水は排水（矢印ｋ）される。この予洗槽１で使われる水は、予洗水タンク１２からポンプにより、自動弁および手動弁を介して供給される（矢印ｉ）。
上記予洗水タンク１２には、すすぎ槽で使い終わった水、および脱水回収タンク１０に回収された水が再利用される。
すなわち、前記すすぎ水回収タンク１１内に溜まっている水が予洗水タンク１２に送られる（矢印ｇ）とともに、脱水回収タンク１０内に溜まっている水も予洗水タンク１２に送られる（矢印ｈ）。
以上に説明したように、予洗に必要な水は、すすぎ作業で使い終わった水や脱水作業で回収した水を循環させて再利用しているが、すすぎ作業や仕上作業に使用する水は新水を送給している。
【０００５】
以上に説明したカウンターフロー型の連続式洗濯機を改良して使用水量を節約するとともに水温を制御するための発明が特開２００６−１４１７８６号公報に開示されている。しかし上記の公知発明において、消毒に関しては何らの考慮も払われていない。
洗濯用の殺菌水を生成する技術として特開２００３−２５１３５３号公報の「洗濯・洗浄殺菌水の生成方法とその装置」が提案されている。この発明は、各種の薬剤を電気分解するものであって、構造が複雑となり高価である。
洗濯機械用の簡単な消毒技術として特開平１１−１３７８８８号公報、及び特開２００１−２０４９９３号公報が公知であるが、家庭用電気洗濯機に適用するため、固形の薬剤を使用し、この薬剤に流通させた水を単一の水槽（予洗槽、兼洗濯槽、兼すすぎ槽、兼脱水槽）の中へ送給する構造であって間欠的に運転され、業務用として用いるには作業能率が低い。
【特許文献１】特開２００１−１３７５９０号公報
【特許文献２】特開２００６−１４１７８６号公報
【特許文献３】特開平１１−１３７８８８号公報
【特許文献４】特開２００１−２０４９９３号公報
【発明の開示】
【発明が解決しようとする課題】
【０００６】
大量に発生する洗濯物は業務用の連続洗濯機によって処理される。その作業は、いうまでもなく清潔を旨とし、適宜に洗浄したり消毒したりしながら操業されている。
しかるところ最近、次の事情により更に強力な消毒処理が要望されている。すなわち、
入院患者が使用したいわゆる病院寝具は、汗や垢などの人体老廃物が大量に付着しているので、雑菌が繁殖し易い。病院において厳重に管理されているとはいえ、有害菌も無いとは言い切れない。
このような病院寝具は、従来技術における消毒処理では無菌化を保証することが困難である。
【０００７】
本発明は以上に述べた事情に鑑みて為されたものであって、その目的は、病院寝具の消毒処理に必要なレベルの完全消毒を容易に行ない得る技術を提供して、国民大衆の衛生を守るという社会的要請に応えようとするものである。
本発明において病院寝具とは、汗や垢など人体老廃物が付着している可能性の有る繊維製品をいう。
実験室レベルで完全殺菌することは容易に可能であるが、本発明は業務用の連続式洗濯機を適用の対象とし、かつ、連続式洗濯機本来の基本的構造を変えることなく、しかも、本来の運転サイクルに変化を与えずに、簡単で安価な装置を付加して、安全，容易に完全消毒を可能ならしめる。
【課題を解決するための手段】
【０００８】
上記の目的を達成するため本発明者は、
イ．使用すべき消毒薬の選定、及び、
ロ．連続洗濯の何れの工程で、如何なる態様で消毒薬を作用させるか、
について鋭意研究し、多年蓄積した経験知識を駆使して、次の基本的構成を創作した。
（ａ）従来、消毒および脱臭のため、次亜塩素酸ナトリウムが用いられていた。しかし、殺菌力，機械に対する腐食性，作業員に対する無害性、及び経済性を勘案して次亜塩素酸を採用する。この薬剤の分子式はＨＣｌＯであり、常温では比重１．０４９の液体である。ただし、濃厚水溶液は不安定であるから、ｐｐｍオーダーの希薄溶液を使用する。
（参考）  従来用いられていた次亜塩素酸ナトリウムはアンチホルミンとも呼ばれ
分子式ＣｌＮａＯの無色結晶である。
塩素臭を有し、水に対する溶解度は  ２９．３ｇ／１００ｍＬであって、
水溶液の状態で比較的安定である。
次亜塩素酸と次亜塩素酸ナトリウムとは全く異なる化学物質であること
を御理解いただきたい。
（ｂ）連続洗濯機におけるすすぎ工程よりも後に消毒工程を設ける（すすぎ工程において、すすぎ作業と併行しても良い）。
従来しばしば用いられていた次亜塩素酸ナトリウムはステンレス鋼を腐食する性質が有る。
本発明は次亜塩素酸水溶液を用い、次亜塩素酸分子の殺菌力を利用するので、金属部材に対する腐食性が少ない。
【０００９】
上述の原理に基づいて創作した請求項１に係る発明の構成について、図１を参照しつつ説明すると下記のとおりである。この［課題を解決するための手段］の欄において、図面との照合を容易ならしめるため括弧書きで符号を付記するが、この付記は本発明の構成を図面どおりに限定するものではない。
請求項１の発明に係る病院寝具消毒装置の構成は、複数個の洗濯槽（２〜５）と、すすぎ槽（６，７）と、仕上槽（８）とを列設して成り、洗濯槽に投入された洗濯物を洗濯し、次いですすぎ槽ですすぎ、更に仕上槽で仕上げ処理して脱水機へ送り出す方式の連続洗濯機において、
すすぎ槽（７）と仕上槽（８）との間に消毒槽（１３）を設けるとともに、該消毒槽の中へ次亜塩素酸を注加する手段（矢印Ｄ）を設けたことを特徴とする、。
ただし、前記複数個の洗濯槽の前段に予洗槽（１）を設けることもでき、その方が望ましい。また、仕上槽（８）を省略した場合はすすぎ槽（７）の後段に消毒槽（１３）を設ければ良い。
【００１０】
請求項２の発明に係る病院寝具消毒装置の構成は、
（図２参照）複数個の洗濯槽（２〜５）と、すすぎ槽（６，７）と、仕上槽（８）とを列設して成り、洗濯槽に投入された洗濯物を洗濯し、次いですすぎ槽ですすぎ、更に仕上槽で仕上げ処理して脱水機へ送り出す方式の連続洗濯機において、
仕上槽（８）と脱水機（９）との間に消毒槽（１３）を設けるとともに、該消毒槽の中へ次亜塩素酸を注加する手段（矢印Ｄ）を設けたことを特徴とする。
ただし請求項１におけると同様に、前記複数個の洗濯槽の前段に予洗槽（１）を設けることもでき、その方が望ましい。また、仕上槽（８）を省略した場合は脱水機（９）の前段に消毒槽（１３）を設ければ良い。
【００１１】
請求項３の発明に係る病院寝具消毒装置の構成は、
（図３参照）複数個の洗濯槽（２〜５）と、すすぎ槽（６，７）と、仕上槽（８）とを列設して成り、洗濯槽に投入された洗濯物を洗濯し、次いですすぎ槽ですすぎ、更に仕上槽で仕上げ処理して脱水機へ送り出す方式の連続洗濯機において、
前記すすぎ槽（７）または仕上槽（８）の少なくとも何れか片方に、次亜塩素酸を注加する手段（矢印Ｅ又は矢印Ｆ）を設けたことを特徴とする。
ただし請求項１，２におけると同様に、前記複数個の洗濯槽の前段に予洗槽（１）を設けることもでき、その方が望ましい。また、仕上槽（８）を省略した場合は、すすぎ槽（７）に次亜塩素酸を注加する手段（矢印Ｅ）を設ければ良い。
【００１２】
請求項４の発明に係る病院寝具消毒方法の構成は、
複数個の洗濯槽（２〜５）と、すすぎ槽（６，７）と、仕上槽（８）とを列設して成る連続洗濯機を用い、洗濯槽に投入された洗濯物を洗濯し、次いですすぎ槽ですすぎ、更に仕上槽で仕上げ処理して脱水機へ送り出す場合、
前記すすぎ槽もしくは仕上槽の中へ次亜塩素酸を注加し、又は、すすぎ槽もしくは仕上槽に隣接せしめて設けた消毒槽の中へ次亜塩素酸を注加することを特徴とする。
前記の洗濯槽に投入された洗濯物を洗濯する前工程として予洗することもでき、その方が望ましい。また、仕上槽（８）を省略した場合は、すすぎ槽の中へ次亜塩素酸を注加し、又は、すすぎ槽に隣接せしめて設けた消毒槽の中へ次亜塩素酸を注加すれば良い。
【発明の効果】
【００１３】
請求項１の発明装置を適用すると、複数個の洗濯槽と、すすぎ槽と、仕上槽とを列設して成る連続洗濯機において、すすぎ槽と仕上槽との間に消毒槽を設けるとともに、該消毒槽の中へ次亜塩素酸を注加する手段が設けられているので、すすぎ槽ですすぎ処理を済ませた洗濯物を消毒槽に移して次亜塩素酸による消毒を行なうことができる。
次亜塩素酸は強力な滅菌性能を有しており、しかも作業員に無害であり、機械装置の腐食が少ない。
さらに、複数個の洗濯槽と、すすぎ槽と、仕上槽とを列設して成る連続洗濯機における操業の基本パターンを変えることなく、かつ作動サイクルに影響を及ぼさずに消毒工程を挿入して、完全消毒された洗濯物を脱水機へ送り出すことができる。
【００１４】
請求項２の発明装置を適用すると、複数個の洗濯槽と、すすぎ槽と、仕上槽とを列設して成る連続洗濯機において、仕上槽と脱水機との間に消毒槽を設けるとともに、該消毒槽の中へ次亜塩素酸を注加する手段が設けられているので、仕上槽で仕上げ処理を済ませた洗濯物を消毒槽に移して次亜塩素酸による消毒を行なうことができる。
次亜塩素酸は強力な滅菌性能を有しており、しかも作業員に無害であり、機械装置の腐食が少ない。
さらに、複数個の洗濯槽と、すすぎ槽と、仕上槽とを列設して成る連続洗濯機における操業の基本パターンを変えることなく、かつ作動サイクルに影響を及ぼさずに消毒工程を挿入して、完全消毒された洗濯物を脱水機へ送り出すことができる。
【００１５】
請求項３の発明装置を適用すると、複数個の洗濯槽と、すすぎ槽と、仕上槽とを列設して成る連続洗濯機において、すすぎ槽または仕上槽の少なくとも何れか片方に、次亜塩素酸を注加する手段が設けられているので、このすすぎ槽または仕上槽を消毒槽に兼用させて、すすぎ処理を行ないながら、又は仕上げ処理を行ないながら次亜塩素酸による殺菌処理を併行することができる。
次亜塩素酸は強力な滅菌性能を有しており、しかも作業員に無害であり、機械装置の腐食が少ない。
さらに、複数個の洗濯槽と、すすぎ槽と、仕上槽とを列設して成る連続洗濯機における操業の基本パターンを変えることなく、かつ作動サイクルに影響を及ぼさずに消毒工程を挿入して、完全消毒された洗濯物を脱水機へ送り出すことができる。
特に、この請求項３の発明装置は、専用の消毒槽を設けないので、連続洗濯機全体の形状，寸法、重量を増加させない。
同様の理由により、既設の連続洗濯機に対して本発明装置を追加設置することが容易であり、実用的価値が大きい。
【００１６】
請求項４の発明方法を適用すると、洗濯槽と、すすぎ槽と、仕上槽とを列設して成る連続洗濯機を用いて病院寝具を洗濯する場合、安全，安価，かつ容易に完全消毒処理を行なうことができる。
【発明を実施するための最良の形態】
【００１７】
［実施例１］
図１は第１の実施例を示し、請求項１に対応している。前掲の図４（従来例）に比して異なるところ、すなわち本発明を適用して改良した事項は次のとおりである。
すすぎ槽７と仕上槽８との間に消毒槽１３を設けた。すすぎ槽７に送給されていた新水（矢印ａ）は、本例においては消毒槽１３に送給される。
すすぎ槽７ですすぎ処理を終えた洗濯物は消毒槽１３に送り込まれる。上記消毒槽１３に対して矢印Ｄのように次亜塩素酸が注入される。
【００１８】
以下に、消毒の効果を確認した試験を説明する。
図1は模式的に９槽の連続洗濯機を描いてあるが、試験は１２槽の連続洗濯機を使用し、
１０槽目と１１槽目とをすすぎ槽として用い,前段の１０槽目に１１トン,後段の１１槽目
に3トン、計１４トンのすすぎ水を入れた。
上記１１槽目すすぎ槽の中へ、次亜塩素酸の２００ｐｐｍ水溶液を注入して、次亜塩素酸濃度を２０〜５０ｐｐｍに調製した。
【００１９】
上述した試験条件において、厚生省環境衛生局の規定に基づく「おしぼりの衛生確保試験」を行なった。
通常の作業条件（消毒しない場合）では、すすぎ終えた水の中に数千個／平方センチの菌が含まれている。
このすすぎ水を採取してサンプルとし、２０ｐｐｍの次亜塩素酸水溶液によって２分間の消毒処理を行ったところ、菌数が１／１００以下に減少した。
【００２０】
上記の試験成績から容易に理解されるように本発明を適用すると、通常の連続洗濯機の運転サイクル時間内（例えば2分間）内に完全な消毒を行なうことができ、消毒待ち時間を生じることがない。
このため、本来の運転サイクルで予洗→洗濯→すすぎという一連の操作を進めながら、その途中に消毒操作を入れることができる。
このように、設備機械の配置についても本来の構造部分にほとんど変更を要せず、
連続洗濯の操業時間サイクルについても、本来の運転形態に影響を及ぼさずに、消毒手段を追加設置して消毒処理を併せて遂行できる。
【００２１】
純次亜塩素酸は塩素のオキソ酸の１つであり、その化学的な性質は、カルキ臭と呼ばれる臭いを有し、薄い水溶液としては安定であるが、２５％以上の水溶液では一酸化二塩素に変化する。
本実施例におけるがごとく濃度数十ｐｐｍの次亜塩素酸水溶液はほとんど臭気を感じないし、これによって消毒された洗濯物は通常人にとって全く無臭である。
【００２２】
また、次亜塩素酸水溶液はｐＨの変化に伴って平衡が移動する。
ｐＨ７（中性）では８０％が次亜塩素酸分子、２０％が次亜塩素酸イオンとなり、この次亜塩素酸分子が消毒作用をする。
ｐＨ７．５（弱アルカリ性）では次亜塩素酸分子と次亜塩素酸イオンとがほぼ同数になって有効に消毒作用を発揮するが、
ｐＨ９（アルカリ性）では、ほぼ全部が次亜塩素酸イオンになるので消毒作用が弱い。
こうした化学的特性を勘案して本発明は、予洗→洗濯→すすぎという一連の操作中で、すすぎ工程の末期以降において次亜塩素酸を加えることにより、有効な消毒作用を発揮させる。
【００２３】
［実施例２］
図２は第２の実施例を示し、請求項２に対応している。
前掲の図１（実施例１）においては、後段のすすぎ槽７と仕上槽８との間に消毒槽１３を配置したが、本実施例２においては仕上槽８と脱水機９との間に消毒槽１３を配置してある。上記の消毒槽に対し、電磁弁および手動弁を介して新水を送給（矢印ｎ）するとともに、次亜塩素酸濃度が２０〜５０ｐｐｍとなるように、次亜塩素酸水溶液を注入（矢印Ｄ）する。
仕上槽８で仕上処理された洗濯物は消毒槽１３に送り込まれて消毒処理される。
消毒処理を終えた後、消毒槽１３内の水は排水しても良く、鎖線矢印ｍのようにすすぎ槽７へ返しても良い。また、仕上槽８に返すこともできる。何れを選ぶかは、使用している洗剤および仕上用薬剤の種類を勘案して判断する。
【００２４】
以上に説明した実施例２によっても前記実施例１におけると同様に、設備機械の配置についても本来の構造部分にほとんど変更を要せず、連続洗濯の操業時間サイクルについても、本来の運転形態に影響を及ぼさずに、消毒手段を追加設置して消毒処理を併せて遂行できる。
【００２５】
［実施例３］
図３は第３の実施例を示し、請求項３に対応している。
本例は、前掲の図１（実施例１）や図２（実施例２）のように専用の消毒槽１３を設けることなく、本来的に設けられているすすぎ槽７の中へ次亜塩素酸を注入（矢印Ｅ）し、または仕上槽８の中へ次亜塩素酸を注入（矢印Ｆ）する。
次亜塩素酸をすすぎ槽７に注入する場合は、次亜塩素酸の濃度が下がらないようにするため、該すすぎ槽７へ注入する新水の水量を減らす。減らした分を補うため、新水をすすぎ槽６へ注入（矢印ｐ）する管路を設けてある。
このように構成しても、前記請求項１や請求項２におけると同様に、通常の連続洗濯機の運転サイクル時間内に完全な消毒を行なうことができ、消毒待ち時間を生じることがない。このため、本来の運転サイクルで予洗→洗濯→すすぎという一連の操作を進めながら、その中に消毒操作を入れることができる。
その上、本実施例３においては専用の消毒槽１３を設けなくても良いので、連続洗濯機の形状，寸法，コストをほとんど増加させることなく、完全な消毒機能を得ることができる。特に本実施例は、既設の連続洗濯機に追加して消毒効果を得るに好適である。
【００２６】
以上に説明した実施例１、同２、及び同３の発明装置を、方法という観点から見ると、連続洗濯作業の最終工程付近、すなわち、すすぎ工程の後半以降において、槽内へ次亜塩素酸を注入するところに新規性，進歩性が有る。
従来、洗濯作業中に次亜塩素酸ナトリウムを注入する技術は公知であったが、使用の便を重んじて固体の薬剤を適用しており、液体である次亜塩素酸を用いることは考えられていなかった。
また、次亜塩素酸をパルプの消毒や脱臭に用いる技術は公知であったが、連続洗濯作業におけるすすぎ工程以降の洗濯水中に次亜塩素酸水溶液を注入することは考えられていなかった。
【図面の簡単な説明】
【００２７】
【図１】本発明に係る病院寝具消毒装置の第１の実施例を示す系統図であって、請求項１に対応している。
【図２】本発明に係る病院寝具消毒装置の第２の実施例を示す系統図であって、請求項２に対応している。
【図３】本発明に係る病院寝具消毒装置の第３の実施例を示す系統図であって、請求項３に対応している。
【図４】従来例の連続洗濯機を示し、洗濯槽及び脱水機の模式的な正面図に水流管路を付記した系統図である。
【符号の説明】
【００２８】
１…予洗槽
２，３，４，５…洗濯槽
６，７…すすぎ槽
８…仕上槽
９…脱水機
１０…脱水回収タンク
１１…すすぎ水回収タンク
１２…予洗水タンク
１３…消毒槽
Ｄ…消毒槽に対する次亜塩素酸の注入を表す矢印
Ｅ…すすぎ槽に対する次亜塩素酸の注入を表す矢印
Ｆ…脱水機に対する次亜塩素酸の注入を表す矢印
ａ…すすぎ槽または消毒槽に対する新水の注入を表す矢印
ｂ…すすぎ水回収タンクに対するすすぎ排水の注入を表す矢印
ｃ…仕上槽に対する新水の注入を表す矢印
ｄ…仕上槽の排水を表す矢印
ｅ…脱水機で発生した水を脱水回収タンクに注入する経路を表す矢印
ｆ…すすぎ水回収タンク内の水を洗濯槽へ送給する経路を表す矢印
ｇ…すすぎ水回収タンク内の水を予洗水タンクへ送給する経路を表す矢印
ｈ…脱水回収タンク内の水を予洗水タンクへ送給する経路を表す矢印
ｉ…予洗水タンク内の水を予洗槽へ送給する経路を表す矢印
ｊ…洗濯槽の排水を表す矢印
ｋ…予洗槽の排水を表す矢印
【図１】
2009119089.tif 000003
【図２】
2009119089.tif 000004
【図３】
2009119089.tif 000005
【図４】
2009119089.tif 000006